(57)【特許請求の範囲】
【請求項１】
（Ａ）エネルギー消費機器のエネルギー消費量を計測する計測部と、
（Ｂ）前記エネルギー消費機器の運転状況をユーザが切り替える際に該ユーザによって操作される操作盤と、
（Ｃ）前記操作盤に形成された表示画面に情報を表示する情報表示部と、
（ｄ１）各期において前記計測部が前記エネルギー消費量を計測したときの計測結果、を示す計測データを取得するデータ取得処理と、
（ｄ２）前記計測データのうち、前期分の前記計測データに基づいて、今期における前記エネルギー消費機器の目標運転時間を設定する目標設定処理と、
（ｄ３）前記計測データのうち、今期の開始時点から直近の前記データ取得処理の実行時点までの前記計測データに基づいて、今期の開始時点から直近の前記データ取得処理の実行時点までの前記エネルギー消費機器の実績運転時間を求める実績運転時間算出処理と、
（ｄ４）前記目標運転時間と前記実績運転時間との差を前記情報として前記表示画面に表示させるための情報データを生成するデータ生成処理と、
（ｄ５）を実行するデータ処理実行部と、を有し、
（Ｅ）前記運転状況の切り替えのために前記操作盤がユーザによって操作される際に、前記情報表示部は、前記情報データに基づいて前記表示画面に前記差を表示することを特徴とするエネルギー消費量管理システム。
【請求項２】
前記データ処理実行部は、前記目標設定処理において、前記計測データのうち、前期分の前記計測データに基づいて、前期分における前記エネルギー消費機器の前記エネルギー消費量を合計してエネルギー消費量前期合計値を求めた後に、該エネルギー消費量前期合計値に応じて前記目標運転時間を設定することを特徴とする請求項１に記載のエネルギー消費量管理システム。
【請求項３】
前記情報表示部は、前記目標運転時間を設定するための選択肢情報を前記表示画面に複数表示し、
複数の前記選択肢情報に対するユーザの選択結果を受付ける受付部を有し、
前記データ処理実行部は、前記目標設定処理において、前記受付部が受付けた前記選択結果と前記エネルギー消費量前期合計値とに基づいて、今期における前記エネルギー消費機器の目標エネルギー消費量を求めてから、該目標エネルギー消費量に応じて前記目標運転時間を設定することを特徴とする請求項２に記載のエネルギー消費量管理システム。
【請求項４】
前記データ処理実行部は、前期分及び今期分の前記計測データに基づいて、前記エネルギー消費機器を単位時間運転した場合の単位時間エネルギー消費量を算出する単位時間エネルギー消費量算出処理を更に実行し、
前記データ生成部は、前記データ生成処理において、前記差及び前記単位時間エネルギー消費量を前記情報として前記表示部に表示させるための前記情報データを生成することを特徴とする請求項３に記載のエネルギー消費量管理システム。
【請求項５】
前記データ処理実行部は、前記目標設定処理において、前記目標エネルギー消費量を前記単位時間エネルギー消費量にて除することによって求められる時間を前記目標運転時間として設定することを特徴とする請求項４に記載のエネルギー消費量管理システム。
【請求項６】
前記受付部が、ある前記選択結果を受付けた後に他の前記選択結果を受付けた場合、
前記データ処理実行部は、前記目標設定処理を再度実行して、他の前記選択結果と前記エネルギー消費量前期合計値に基づいて前記目標エネルギー消費量を再度求めてから、該目標エネルギー消費量に応じて前記目標運転時間を設定し直した後に、前記データ生成処理を再度実行して、設定し直された前記目標運転時間と前記実績運転時間との差を前記情報として前記表示画面に表示させるための前記情報データを再度生成することを特徴とする請求項５に記載のエネルギー消費量管理システム。
【請求項７】
前記ユーザが前記操作盤にて前記エネルギー消費機器の運転条件を変更することにより前記運転状況が切り替わった場合、
前記データ処理実行部は、前記運転状況の切り替え後に前記データ取得処理を実行した上で前記単位時間エネルギー消費量算出処理を再度実行して前記単位時間エネルギー消費量を算出し直した後に、前記目標設定処理を再度実行して、算出し直された前記単位時間エネルギー消費量にて前記目標エネルギー消費量を除することによって求められる時間を前記目標運転時間として設定し直し、前記データ生成処理では、設定し直された前記目標運転時間と前記実績運転時間との差を前記情報として前記表示画面に表示させるための前記情報データを生成することを特徴とする請求項６に記載のエネルギー消費量管理システム。
【請求項８】
前記エネルギー消費機器が、住宅内においてユーザが使用する機器であるとき、
前記計測部と、前記操作盤と、前記情報表示部を備えたユーザ端末と、が前記住宅内に設けられ、
前記ユーザ端末と通信可能であり、前記データ処理実行部と、前記データ取得処理にて取得した前記計測データを蓄積しておく蓄積部と、を有するサーバコンピュータが前記住宅の外部に設置されていることを特徴とする請求項７に記載のエネルギー消費量管理システム。
【請求項９】
（Ａ）エネルギー消費機器のエネルギー消費量を計測する計測工程と、
（Ｂ）前記エネルギー消費機器の運転状況をユーザが切り替える際に該ユーザによって操作される操作盤、に形成された表示画面に情報を表示する情報表示工程と、
（ｃ１）各期において前記計測工程にて前記エネルギー消費量を計測したときの計測結果、を示す計測データを取得するデータ取得処理と、
（ｃ２）前記計測データのうち、前期分の前記計測データに基づいて、今期における前記エネルギー消費機器の目標運転時間を設定する目標設定処理と、
（ｃ３）前記計測データのうち、今期の開始時点から直近の前記データ取得処理の実行時点までの前記計測データに基づいて、今期の開始時点から直近の前記データ取得処理の実行時点までの前記エネルギー消費機器の実績運転時間を求める実績運転時間算出処理と、
（ｃ４）前記目標運転時間と前記実績運転時間との差を前記情報として前記表示画面に表示させるための情報データを生成するデータ生成処理と、
（ｃ５）を実行するデータ処理実行工程と、を有し、
（Ｄ）前記運転状況の切り替えのために前記操作盤がユーザによって操作される際に、前記情報データに基づいて前記表示画面に前記差が表示されるように、前記情報表示工程が実施されることを特徴とするエネルギー消費量管理方法。
【発明の詳細な説明】
【技術分野】
【０００１】
本発明は、エネルギー消費量管理システム及びエネルギー消費量管理方法に係り、特に、エネルギー消費機器の運転管理に用いられる情報を所定の表示画面に表示させるエネルギー消費量管理システム及びエネルギー消費量管理方法に関する。
【背景技術】
【０００２】
エネルギー消費機器の運転管理に用いられる情報を所定の表示画面に表示させるエネルギー消費量管理システム、及び、当該システムを用いたエネルギー消費量管理方法は既に知られている（例えば、特許文献１参照）。同システムが提供する情報としては、例えば、エネルギー管理機器のエネルギー消費量の実績や履歴等が挙げられ、このような情報を利用すれば、当該エネルギー消費機器のエネルギー消費量の削減を図ることが可能になる。
【先行技術文献】
【特許文献】
【０００３】
【特許文献１】特開２００９−２７８７９５号公報
【発明の概要】
【発明が解決しようとする課題】
【０００４】
ところで、エネルギー消費量管理システムが提供する情報の中には、ユーザがエネルギー消費機器の運転管理を行うにあたって利用し難い（分かりづらい）ものもあり、エネルギー消費量管理に対する意識を向上させることに繋がらないおそれがある。例えば、特許文献１では、エネルギー消費機器のエネルギー消費量について設定された目標値と、エネルギー消費量の実測値と、を対比させながら表示する技術が紹介されている。しかしながら、かかる情報についても、当該情報の利用者であるユーザにとって必ずしも有益な情報になるとは限らない。つまり、ユーザにとって、エネルギー消費機器の運転管理上、どのように利用すればよいのかが把握し難い情報が提供される可能性もある。
【０００５】
そこで、本発明は、上記の問題に鑑みてなされたものであり、その目的は、エネルギー消費機器の運転管理上、ユーザにとって分かり易い情報を提供することである。
【課題を解決するための手段】
【０００６】
前記課題は、本発明のエネルギー消費量管理システムによれば、（Ａ）エネルギー消費機器のエネルギー消費量を計測する計測部と、（Ｂ）前記エネルギー消費機器の運転状況をユーザが切り替える際に該ユーザによって操作される操作盤と、（Ｃ）該操作盤に形成された表示画面に情報を表示する情報表示部と、（ｄ１）各期において前記計測部が前記エネルギー消費量を計測したときの計測結果、を示す計測データを取得するデータ取得処理と、
（ｄ２）前記計測データのうち、前期分の前記計測データに基づいて、今期における前記エネルギー消費機器の目標運転時間を設定する目標設定処理と、（ｄ３）前記計測データのうち、今期の開始時点から直近の前記データ取得処理の実行時点までの前記計測データに基づいて、今期の開始時点から直近の前記データ取得処理の実行時点までの前記エネルギー消費機器の実績運転時間を求める実績運転時間算出処理と、（ｄ４）前記目標運転時間と前記実績運転時間との差を前記情報として前記表示画面に表示させるための情報データを生成するデータ生成処理と、（ｄ５）を実行するデータ処理実行部と、を有し、（Ｅ）前記運転状況の切り替えのために前記操作盤がユーザによって操作される際に、前記情報表示部は、前記情報データに基づいて前記表示画面に前記差を表示することにより解決される。
かかるエネルギー消費量管理システムによれば、表示画面に表示される情報として、エネルギー消費機器の目標運転時間および実績運転時間の差、すなわち、目標運転時間に対する残りの運転時間（運転可能時間）が表示されることになる。これにより、ユーザは、エネルギー消費機器の運転を管理する上で、エネルギー消費機器をどれだけ運転させ続けられるかを把握することができ、エネルギー消費機器の運転を適切に管理することが可能になる。さらに、上記の情報（運転可能時間）が操作盤の表示画面に表示されるため、ユーザは、その内容に応じて適切に運転状況を切り替えることが可能になる。すなわち、運転可能時間を表示することによる効果は、操作盤の表示画面に表示されることによって、より有意義なものとなる。
【０００７】
また、上記のエネルギー消費量管理システムにおいて、前記データ処理実行部は、前記目標設定処理において、前記計測データのうち、前期分の前記計測データに基づいて、前期分における前記エネルギー消費機器の前記エネルギー消費量を合計してエネルギー消費量前期合計値を求めた後に、該エネルギー消費量前期合計値に応じて前記目標運転時間を設定することとしてもよい。
かかるエネルギー消費量管理システムによれば、前期分におけるエネルギー消費機器のエネルギー消費量の合計値（エネルギー消費量前期合計値）を基準にして目標設定がなされるため、エネルギー消費機器の運転管理上、適切に目標設定をすることが容易になる。
【０００８】
また、上記のエネルギー消費量管理システムにおいて、前記情報表示部は、前記目標運転時間を設定するための選択肢情報を前記表示画面に複数表示し、複数の前記選択肢情報に対するユーザの選択結果を受付ける受付部を有し、前記データ処理実行部は、前記目標設定処理において、前記受付部が受付けた前記選択結果と前記エネルギー消費量前期合計値とに基づいて、今期における前記エネルギー消費機器の目標エネルギー消費量を求めてから、該目標エネルギー消費量に応じて前記目標運転時間を設定することとしてもよい。
かかるエネルギー消費量管理システムによれば、ユーザの意思を反映させて目標設定することが更に容易になる。
【０００９】
また、上記のエネルギー消費量管理システムにおいて、前記データ処理実行部は、前期分及び今期分の前記計測データに基づいて、前記エネルギー消費機器を単位時間運転した場合の単位時間エネルギー消費量を算出する単位時間エネルギー消費量算出処理を更に実行し、前記データ生成部は、前記データ生成処理において、前記差及び前記単位時間エネルギー消費量を前記情報として前記表示部に表示させるための前記情報データを生成することとしてもよい。
かかるエネルギー消費量管理システムによれば、エネルギー消費機器の単位時間エネルギー消費量を、目標設定時間と実績運転時間との差と共に表示することにより、ユーザに提供する情報が充実し、これらの情報を有効に利用することにより、エネルギー消費機器の運転をより適切に管理することが可能になる。
【００１０】
また、上記のエネルギー消費量管理システムにおいて、前記データ処理実行部は、前記目標設定処理において、前記目標エネルギー消費量を前記単位時間エネルギー消費量にて除することによって求められる時間を前記目標運転時間として設定することとしてもよい。
かかるエネルギー消費量管理システムによれば、目標運転時間を的確かつ容易に設定することが可能になる。
【００１１】
また、上記のエネルギー消費量管理システムにおいて、前記受付部が、ある前記選択結果を受付けた後に他の前記選択結果を受付けた場合、前記データ処理実行部は、前記目標設定処理を再度実行して、他の前記選択結果と前記エネルギー消費量前期合計値に基づいて前記目標エネルギー消費量を再度求めてから、該目標エネルギー消費量に応じて前記目標運転時間を設定し直した後に、前記データ生成処理を再度実行して、設定し直された前記目標運転時間と前記実績運転時間との差を前記情報として前記表示画面に表示させるための前記情報データを再度生成することとしてもよい。
かかるエネルギー消費量管理システムによれば、ユーザの意向が変化した際に目標を改訂することが可能であるため、ユーザの意向の変化に対して柔軟に対応することが可能となる。
【００１２】
また、上記のエネルギー消費量管理システムにおいて、前記ユーザが前記操作盤にて前記エネルギー消費機器の運転条件を変更することにより前記運転状況が切り替わった場合、前記データ処理実行部は、前記運転状況の切り替え後に前記データ取得処理を実行した上で前記単位時間エネルギー消費量算出処理を再度実行して前記単位時間エネルギー消費量を算出し直した後に、前記目標設定処理を再度実行して、算出し直された前記単位時間エネルギー消費量にて前記目標エネルギー消費量を除することによって求められる時間を前記目標運転時間として設定し直し、前記データ生成処理では、設定し直された前記目標運転時間と前記実績運転時間との差を前記情報として前記表示画面に表示させるための前記情報データを生成することとしてもよい。
エネルギー消費機器の運転状況が切り替わると、それに伴って単位時間エネルギー消費量が変動し、目標運転時間を設定し直す必要がある。一方、上記のエネルギー消費量管理システムによれば、エネルギー消費機器の運転状況が切り替わった後に目標運転時間を設定し直すことが可能であるため、当該運転状況の変化に対して柔軟に対応することが可能となる。
【００１３】
また、上記のエネルギー消費量管理システムにおいて、前記エネルギー消費機器が、住宅内において前記ユーザが使用する機器であるとき、前記計測部と、前記操作盤と、前記情報表示部を備えたユーザ端末と、が前記住宅内に設けられ、前記ユーザ端末と通信可能であり、前記データ処理実行部と、前記データ取得処理にて取得した前記計測データを蓄積しておく蓄積部と、を有するサーバコンピュータが前記住宅の外部に設置されていることとしてもよい。
かかるエネルギー消費量管理システムであれば、サーバコンピュータ側（住宅の外部）でデータ保存やデータ処理等が一元的に行われる結果、ユーザ端末（住宅の内部）側でデータを保存しておく必要がなく、データ処理の負荷も軽減される。
【００１４】
さらに、（Ａ）エネルギー消費機器のエネルギー消費量を計測する計測工程と、（Ｂ）前記エネルギー消費機器の運転状況をユーザが切り替える際に該ユーザによって操作される操作盤、に形成された表示画面に情報を表示する情報表示工程と、（ｃ１）各期において前記計測工程にて前記エネルギー消費量を計測したときの計測結果、を示す計測データを取得するデータ取得処理と、（ｃ２）前記計測データのうち、前期分の前記計測データに基づいて、今期における前記エネルギー消費機器の目標運転時間を設定する目標設定処理と、
（ｃ３）前記計測データのうち、今期の開始時点から直近の前記データ取得処理の実行時点までの前記計測データに基づいて、今期の開始時点から直近の前記データ取得処理の実行時点までの前記エネルギー消費機器の実績運転時間を求める実績運転時間算出処理と、（ｃ４）前記目標運転時間と前記実績運転時間との差を前記情報として前記表示画面に表示させるための情報データを生成するデータ生成処理と、（ｃ５）を実行するデータ処理実行工程と、を有し、（Ｄ）前記運転状況の切り替えのために前記操作盤が前記ユーザによって操作される際に、前記情報データに基づいて前記表示画面に前記差が表示されるように、前記情報表示工程が実施されることを特徴とするエネルギー消費量管理方法も実現可能である。
かかるエネルギー消費量管理方法によれば、上述のように、エネルギー消費機器の目標運転時間に対する残りの運転時間（運転可能時間）が表示され、ユーザは、エネルギー消費量の削減を図る上で、エネルギー消費機器をどれだけ運転させ続けられるかを把握することが可能となる。しかも、運転可能時間は操作盤の表示画面に表示されるので、ユーザは、エネルギー消費機器の運転を適切に管理することが可能になる。
【発明の効果】
【００１５】
本発明のエネルギー消費量管理システムによれば、表示画面に表示される情報として、エネルギー消費機器の目標運転時間および実績運転時間の差、すなわち、目標運転時間に対する残りの運転時間（運転可能時間）が表示されることになる。これにより、ユーザは、エネルギー消費量の削減を図る上で、エネルギー消費機器をどれだけ運転させ続けられるかを把握することができ、エネルギー消費機器の運転を適切に管理することが可能になる。さらに、上記の情報（運転可能時間）が操作盤の表示画面に表示されるため、ユーザは、その内容に応じて適切に運転状況を切り替えることが可能になる。すなわち、運転可能時間を表示することによる効果は、操作盤の表示画面に表示されることによって、より有意義なものとなる。
【図面の簡単な説明】
【００１６】
【図１】本システム１の全体構成を示すブロック図である。
【図２】ユーザ端末１０と周辺機器の構成を示す図である。
【図３】サーバコンピュータ２０の構成を示す図である。
【図４】操作パッド１２の表示画面１２ａの一例を示した図である。
【図５】蓄積部２３に蓄積されたデータのイメージ図である。
【図６】本実施形態に係るエネルギー消費量管理方法によるの手順を示す図である。
【図７】目標設定処理の流れを示す図である。
【図８】データ生成処理の流れを示す図である。
【図９】前回のデータ配信処理から今回のデータ配信処理までの間の流れを示す（その１）。
【図１０】前回のデータ配信処理から今回のデータ配信処理までの間の流れを示す（その２）。
【発明を実施するための形態】
【００１７】
＜＜本実施形態に係るエネルギー消費量管理システムについて＞＞
以下、本実施形態に係るエネルギー消費量管理システム（以下、本システム１）について、図１乃至図４を参照しながら説明する。図１は、本システム１の全体構成を示すブロック図である。図２は、後述するユーザ端末１０と周辺機器の構成を示す図である。図３は、後述するサーバコンピュータ２０の構成を示す図である。図４は、後述する操作パッド１２の表示画面１２ａの一例を示した図である。
【００１８】
本システム１は、電気、ガス、水道等のエネルギーを消費するエネルギー消費機器の運転管理に用いられる情報（以下、管理情報）を所定の表示画面に表示させる通信システムである。管理情報とは、エネルギー消費機器のエネルギー消費量の削減を図るためにユーザが閲覧し利用する情報であり、エネルギー消費量に関する文字情報や画像情報である。
【００１９】
本システム１は、図１に示すように、ユーザ端末１０、計測部としての計測ユニット１１、操作パッド１２及びサーバコンピュータ２０を主たる構成要素として有する。本実施形態において、ユーザ端末１０、計測ユニット１１及び操作パッド１２は、住宅２内に配置され、ユーザの一例である当該住宅２の居住者が保有するものである。なお、計測ユニット１１及び操作パッド１２は、宅内ネットワークを通じてユーザ端末１０と通信可能である。また、ユーザ端末１０は、ルータ１３を介してインターネット４と接続し、インターネット４を通じてサーバコンピュータ２０と通信可能である。
【００２０】
一方、本実施形態において、サーバコンピュータ２０は、住宅２の外部（例えば、住宅管理会社３）に設置された電子計算機であり、インターネット４を通じて、管理情報を示すデータをユーザ端末１０に向けて配信する装置である。以下では、住宅２内で使用される電力消費機器（例えば、エアコンディショナ（エアコン）や照明等）をエネルギー消費機器の一例として挙げて、当該電力消費機器についての管理情報を所定の表示画面に表示させるシステムについて説明する。以下、住宅２側の設備と、サーバコンピュータ２０についてそれぞれ説明する。
【００２１】
１）住宅２側の設備について
本システム１において、住宅２側には、電力消費機器の運転管理に関する情報（管理情報）を利用するために備えられた設備としてのユーザ端末１０、計測ユニット１１及び操作パッド１２が用意されている。このうち、ユーザ端末１０は、図２に示すように、情報表示部１０ａ、通信部１０ｂ、記憶部１０ｃ、機器コントローラ１０ｄを有し、これらが制御部１０ｅを介して互いに接続されている。ユーザ端末１０の各部は、ユーザ端末１０に備わるＣＰＵ、ＲＯＭやＲＡＭ等の半導体記憶媒体、及び、通信用インターフェース、制御回路、及び、ユーザ端末１０にインストールされたプログラム等により構成される。
【００２２】
通信部１０ｂは、ユーザ端末１０が住宅２内の機器（計測ユニット１１や操作パッド１２など）及びサーバコンピュータ２０と通信するためのものである。情報表示部１０ａは、各種データを読み込んで当該データに対応する情報を操作パッド１２の表示画面１２ａに表示するためのものである。つまり、ユーザ端末１０は、サーバコンピュータ２０側から受信したデータに基づき、当該データに応じた文字情報や画像情報を、操作パッド１２の表示画面１２ａに表示させることが可能である。
【００２３】
記憶部１０ｃは、各種データを記憶しておくためのものである。機器コントローラ１０ｄは、居住者が操作パッド１２を操作した際の当該操作に基づく信号に応じて、電力消費機器を制御するものである。すなわち、本具体例において、操作パッド１２は、電力消費機器の運転状況を居住者が切り替える際に居住者によって操作される操作盤の一例である。ここで、電力消費機器の運転状況とは、電力消費機器が運転（停止）しているかどうか、運転している場合にはどのような運転条件にて運転しているのかを示す概念である。
【００２４】
具体的に説明すると、操作パッド１２は、タッチパネルを採用しており、居住者の入力操作を受付ける受付部として機能する。操作パッド１２には表示画面１２ａが形成されており、この表示画面１２ａには、電力消費機器の運転状況を切り替えるための情報として、発停を切り替えるための操作ボタンＢ１、及び、運転条件を変更するための操作ボタンＢ２、Ｂ３（図４中、三角矢印の記号が付されたボタン）が表示される。これらの操作ボタンＢ１〜Ｂ３が居住者に押されることにより、ユーザ端末１０は、機器コントローラ１０ｄを介して、そのボタン押し操作に基づく信号に従って電力消費機器の運転状況を制御する。
【００２５】
例えば、操作ボタンＢ１が居住者に押されると、対応する電力消費機器が停止状態にあるときには起動し、運転状態にあるときには停止する。一方、操作ボタンＢ２、Ｂ３が押されると、対応する電力消費機器の運転条件（例えば、エアコンであれば温度や湿度の設定値）を変更し、変更後の条件に運転状況が切り替わる。
【００２６】
以上のように、本実施形態では、操作パッド１２が居住者のボタン押し操作を受付け、当該操作に基づく信号をユーザ端末１０に向けて伝送する。操作パッド１２からの信号がユーザ端末１０に受信されると、ユーザ端末１０が機器コントローラ１０ｄを介して電力消費機器の運転状況を制御する。
【００２７】
次に、操作パッド１２について説明する。操作パッド１２は、前述したように、居住者が住宅２内の電力消費機器の運転状況を切り替える際に操作するものである。なお、操作パッド１２は、電力消費機器の個数だけ用意されていることとしてもよく、１個だけ用意されていて電力消費機器別に表示画面１２ａの内容が変化するものであってもよい。
【００２８】
一方、操作パッド１２の表示画面１２ａには、操作ボタンＢ１〜Ｂ３に加えて、上述した管理情報が表示されるようになる。すなわち、前述したように、ユーザ端末１０の情報表示部１０ａが、操作ボタンＢ１〜Ｂ３や管理情報を示すデータに基づいて、操作ボタンＢ１〜Ｂ３や管理情報を表示画面１２ａに表示する。これにより、居住者は、住宅２内の電力消費機器の運転状況を切り替えるために操作パッド１２を操作する際、操作パッド１２の表示画面１２ａに表示された管理情報を閲覧しながら、当該管理情報に応じた入力操作（操作パッド１２の操作）を行うことが可能になる。
【００２９】
また、表示画面１２ａに表示される各情報については、表示画面１２ａ中のいずれの領域に配置されるかが予め決まっており、情報表示部１０ａは、各種データを読み込んで各情報を表示画面１２ａに表示する際に、当該各情報を対応する領域に配置することとしている。
【００３０】
次に、計測ユニット１１について説明する。計測ユニット１１は、住宅２内で使用される電力消費機器について、所定時間毎の消費電力量（エネルギー消費量の一例）を計測するものである。計測ユニット１１の計測結果を示すデータ（以下、計測データ）は、データロガー１１ｃを介してユーザ端末１０に集約される。ユーザ端末１０に集約された計測データは、適宜の間隔にて、サーバコンピュータ２０に向けて送信される。
【００３１】
計測ユニット１１の構成について説明すると、本実施形態では、住宅２内に設置された分電盤３０に取り付けられた電力センサ１１ａと、センサと通信モジュールを内蔵した電力計測タップ１１ｂと、データロガー１１ｃにより構成される。
【００３２】
電力センサ１１ａについて説明すると、住宅２における電力供給回路が主幹回路３１と、主幹回路３１から分岐した複数の分岐回路３２と、に分かれており、各回路別に電力センサ１１ａが取り付けられている。本実施形態では、各分岐回路３２が住宅２内で使用される所定の電力消費機器（図１に示す例ではエアコンや照明等）と対応付けられており、各分岐回路３２について消費電力量を個別計測することにより、当該各分岐回路３２に対応した電力消費機器の消費電力量を計測することが可能である。なお、上述の回路分岐については、例えば、住宅２の設計・建築段階で決定される。
【００３３】
電力センサ１１ａは消費電力量を示すデータを計測結果として出力するが、このデータはデータロガー１１ｃに一時的に蓄積されて、所定時間（例えば、１分間）毎にデータロガー１１ｃからユーザ端末１０に伝送される。
【００３４】
一方、住宅２内で使用される電力消費機器のうち、分岐回路３２と対応付けられていないもの（すなわち、専用の電力供給回路が設けられていない機器）については、電力計測タップ１１ｂに接続されており、当該電力計測タップ１１ｂによって消費電力量の計測が行われる。そして、電力計測タップ１１ｂについても、消費電力量を示すデータを計測結果として出力し、当該データがデータロガー１１ｃに一時的に蓄積されて、所定時間（例えば、１分間）毎にデータロガー１１ｃからユーザ端末１０に伝送される。
【００３５】
以上のような計測ユニット１１は、ユーザ端末１０からの計測実行指令を受けて消費電力量の計測を実行し、計測結果としての計測データをユーザ端末１０に伝送する。なお、本実施形態では、電力消費機器が運転している間（電源がオンの状態となっている間）に限り、消費電力量の計測が行われる。ただし、これに限定されるものではなく、電力消費機器の運転状況に拘わらず、常時、消費電力量の計測が行われることとしてもよい。
【００３６】
一方、本実施形態において、消費電力量の計測は、予め指定された電力消費機器を対象として行われる。計測対象として指定される機器は、操作パッド１２の表示画面１２ａに管理情報が表示される電力消費機器であり、居住者が住宅２に入居する時点で既に指定済みである。
【００３７】
そして、各電力使用機器について１分間毎の消費電力量を計測したときの計測データは、ユーザ端末１０にて集約された後、所定時間（本実施形態では、３０分）毎にユーザ端末１０からサーバコンピュータ２０に向けて送信される。なお、消費電力量の計測間隔および計測データの送信間隔は、上述した内容に限定されるものではなく、任意に設定することが可能である。
【００３８】
２）サーバコンピュータ２０について
本システム１において、サーバコンピュータ２０は、インターネット４を通じてユーザ端末１０側から計測データを受信し、当該計測データを解析して、電力消費機器についての管理情報を示すデータを生成し、その後、ユーザ端末１０に向けて配信する役割を担う。サーバコンピュータ２０は、所謂ＷＥＢサーバであり、主なハードウェア要素として、通信用インターフェース、ＣＰＵ、ＲＯＭやＲＡＭ等の半導体記憶媒体、ＨＤＤ等の補助記憶装置を有している。
【００３９】
また、サーバコンピュータ２０には各種プログラムがインストールされており、具体的には、インターネット４を通じてユーザ端末１０側から送信されたデータを取得するためのプログラム、取得したデータを解析し所定の演算を行うためのプログラム、演算結果に応じた情報を操作パッド１２の表示画面１２ａに表示させるための情報データを生成するためのプログラム、及び、生成した情報データをユーザ端末１０に向けて配信するためのプログラムがインストールされている。
【００４０】
以上までに説明してきたサーバコンピュータ２０の構成について機能面から改めて言及する。サーバコンピュータ２０は、図３に示すように、通信部２１と、データ処理実行部２２と、蓄積部２３と、を有しており、サーバコンピュータ２０の各部は、制御部２４を介して互いに接続されている。
【００４１】
通信部２１は、サーバコンピュータ２０がインターネット４を通じてユーザ端末１０との間で各種データの送受信を行うためのものであり、ＣＰＵ、半導体記憶媒体及びサーバコンピュータ２０にインストールされた通信用プログラム等により構成される。データ処理実行部２２は、所定の管理情報を操作パッド１２の表示画面１２ａに表示させるために一連の処理を実行するものであり、ＣＰＵ、半導体記憶媒体及びサーバコンピュータ２０にインストールされたプログラム等により構成される。データ処理実行部２２については後に詳述する。蓄積部２３は、ユーザ端末１０側から取得したデータを記憶して蓄積しておくためのものであり、ＣＰＵ、半導体記憶媒体及び補助記憶装置等により構成される。
【００４２】
データ処理実行部２２について詳しく説明すると、データ取得処理部２２ａと、目標設定処理部２２ｂと、実績運転時間算出処理部２２ｃと、単位時間エネルギー消費量算出処理部２２ｄと、データ生成処理部２２ｅと、データ配信処理部２２ｆとを有する。
【００４３】
データ取得処理部２２ａは、通信部２１と協働して、ユーザ端末１０側から送信されたデータを取得するデータ取得処理を実行するものである。本実施形態において、データ取得処理にて取得するデータは、各期において計測ユニット１１が消費電力量を計測したときの計測結果を示す計測データである。ここで、期とは、データ処理実行部２２が計測データを取り扱う際の単位期間、換言すると、電力消費機器の運転を管理する際の単位期間を意味し、本実施形態では１ヶ月間としている。つまり、以下の説明中、「今期」とは今月期を意味し、「前期」とは先月期のことを意味する。
【００４４】
そして、データ取得処理にて取得した計測データは、逐次、蓄積部２３に記憶され、以降、データベースとして管理される。以降、データ処理実行部２２の各部は、当該各部が担当する処理を実行するにあたり、蓄積部２３にアクセスして、データベース化された計測データ（具体的には、当該データベースのデータファイル）を読み取る。なお、データベースのデータファイルは、サーバコンピュータ２０に向けて計測データを送信するユーザ端末１０別に（換言すると、住宅２別に）、各電力消費機器別に用意される。さらに、データファイルとして、図５に示すような３０分毎のデータの他に、１分毎のデータ、１日毎のデータ、１ヶ月毎のデータがそれぞれ格納されている。図５は、蓄積部２３に蓄積されたデータのイメージ図である。
【００４５】
目標設定処理部２２ｂは、データ取得処理にて取得した計測データのうち、前期分の計測データに基づいて、今期における電力消費機器の目標運転時間を設定する目標設定処理を実行するものである。本実施形態の目標設定処理については、後に詳述する。
【００４６】
実績運転時間算出処理部２２ｃは、データ取得処理にて取得した計測データのうち、今期の開始時点から直近のデータ取得処理の実行時点までの計測データに基づいて、今期の開始時点から直近のデータ取得処理の実行時点までの電力消費機器の実績運転時間を求める実績運転時間算出処理を実行するものである。ここで、実績運転時間とは、電力消費機器が、正規に運転した状態における値以上の電力にて実際に運転した時間の累積値を意味し、待機電力のみを消費している状態（すなわち、運転待機の状態）にある時間は除かれる。
【００４７】
単位時間エネルギー消費量算出処理部２２ｄは、データ取得処理にて取得した計測データのうち、前期分及び今期分の計測データに基づいて、電力消費機器を単位時間運転した場合の消費電力量（単位時間エネルギー消費量の一例であり、以下、単位時間消費電力量）を算出する単位時間エネルギー消費量算出処理を実行するものである。本実施形態では、前期分の計測データと今期の開始時点から直近のデータ取得処理の実行時点までの計測データに基づいて、１時間あたりの消費電力量が単位時間消費電力量として算出される。
【００４８】
データ生成処理部２２ｅは、ユーザ端末１０に向けて配信する情報データを生成するデータ生成処理を実行するものである。特に、本実施形態に係るデータ生成処理では、目標運転時間と実績運転時間との差や単位時間消費電力量を管理情報として操作パッド１２の表示画面１２ａに表示させるための情報データが生成される。
【００４９】
データ配信処理部２２ｆは、通信部２１と協働して、データ生成処理部２２ｅが生成した情報データをユーザ端末１０に向けて配信するデータ配信処理を実行するものである。
【００５０】
上記構成のデータ処理実行部２２では、データ処理実行部２２の各部が担当する処理を実行する結果、住宅２で操作パッド１２の表示画面１２ａに管理情報が表示されるように情報データの生成及びユーザ端末１０に向けた配信が行われる。なお、本実施形態では、前述したように、電力消費機器が運転している間（電源がオンの状態となっている間）に限り、消費電力量の計測が行われる。このため、データ処理実行部２２の各部が実行する処理についても、電力消費機器が運転している間に実行されることになる。
【００５１】
以上のような構成のサーバコンピュータ２０により、操作パッド１２の表示画面１２ａに管理情報を表示させるための情報データが生成されて、ユーザ端末１０に向けて配信される。かかる情報データをユーザ端末１０が受信すると、情報表示部１０ａが当該情報データに基づいて操作パッド１２の表示画面１２ａに管理情報を表示する。
【００５２】
この際、管理情報は、電力消費機器の運転状況を切り替えるための情報（具体的には操作ボタンＢ１〜Ｂ３）と共に表示画面１２ａに表示される。つまり、本実施形態では、エアコンの運転状況を切り替えるために操作パッド１２が居住者によって操作される際に、情報表示部１０ａは、情報データに基づいて操作パッド１２の表示画面１２ａに管理情報を表示する。これにより、居住者は管理情報を閲覧しながら当該管理情報に応じて適切に電力消費機器の運転状況を切り替えることが可能になる。
【００５３】
さらに、本実施形態において管理情報として表示される情報は、目標設定処理で設定された目標運転時間と実績運転時間算出処理で算出された実績運転時間の差、単位時間エネルギー消費量算出処理で算出された単位時間消費電力量、及び、過去数日分の使用履歴である（図４参照）。なお、過去数日分の使用履歴としては、例えば、累積消費電力量に関する過去数日分の変化を示すグラフが挙げられる。
また、管理情報として表示される情報については、上記の情報に加えて、他の情報が含まれることとしてもよい。例えば、図４に示すように、前期ならびに今期の開始時点から直近のデータ取得処理の実行時点までの期間の各々について、消費電力量の合計値に相当する電気代金や実績運転時間、さらに、目標達成のためのアドバイス情報が表示されることとしてもよい。
【００５４】
＜目標設定処理について＞
目標設定処理についてより詳しく説明する。目標設定処理では、前述したように、前期分の計測データに基づいて、今期における電力消費機器の目標運転時間を設定する。具体的に説明すると、先ず、前期分の計測データに基づいて、前期分における電力消費機器の消費電力量を合計して消費電力量前期合計値（エネルギー消費量前期合計値の一例）を求める。消費電力量前期合計値は、例えば、計測データのうち、前期分のものを抽出し、抽出した計測データが示す消費電力量を当該計測データの数だけ合算することによって求めることが可能である。
【００５５】
次に、消費電力量前期合計値に応じて目標運転時間を設定する。消費電力量前期合計値に応じて目標運転時間を設定する手順について詳述する。本実施形態では、目標運転時間の設定にあたり、ユーザ端末１０の情報表示部が、目標運転時間を決定するための選択肢情報を操作パッド１２の表示画面１２ａに複数表示する。具体的に説明すると、当該選択肢情報として、消費電力量前期合計値に対する削減比率を示すゲージＧが複数の目盛値（図４では、＋１０％、＋５％、０％、−５％、−１０％が表記）とともに表示される。居住者は、複数の選択肢情報を閲覧し、一の選択肢情報を選択して操作パッド１２を操作する。具体的には、表示画面１２ａに表示された複数の目盛値のうちの一の目盛値の位置にゲージＧのカーソルＧｃが位置するように、該カーソルＧｃを移動させる操作により、操作パッド１２は居住者の選択結果を受付けることになる。つまり、操作パッド１２は、上記複数の選択肢情報に対する居住者の選択結果を受付ける受付部として機能する。
【００５６】
そして、操作パッド１２が居住者の選択結果を受付けると、その選択結果を示すデータがユーザ端末１０により生成される。選択結果を示すデータの生成後、当該選択結果及び消費電力量前期合計値に基づいて、今期における電力消費機器の目標消費電力量（目標エネルギー消費量の一例）を求める。具体的には、消費電力量前期合計値に対して、選択結果に応じた削減比率に見合う分だけ削減（増加）させた値を目標消費電力量とする。
【００５７】
さらに、求めた目標消費電力量に応じて目標運転時間を設定する。具体的には、目標消費電力量を単位時間消費電力量にて除することによって求められる時間を目標運転時間として設定する。このため、本実施形態では、目標運転時間の設定にあたり、前述した単位時間エネルギー消費量算出処理において、前期分及び今期分の計測データに基づいて単位時間消費電力量が算出される。
【００５８】
具体的に説明すると、前期分の計測データ、及び、今期の開始時点から直近のデータ取得処理の実行時点までの計測データに基づいて、１時間あたりの平均消費電力量を求めて単位時間消費電力量とする。より具体的に説明すると、前期分及び今期分の計測データに基づいて、前期から今期（正確には直近のデータ取得処理の実行時点）までの消費電力の合計値Ｓを求める。さらに、前期分における実績運転時間ｔａと、今期の開始時点から直近のデータ取得処理の実行時点までの実績運転時間ｔｂを求める。その上で、単位時間消費電力量Ｓｔは、下記の式で与えられる。
Ｓｔ＝Ｓ／（ｔａ＋ｔｂ）                                          （１）
【００５９】
単位時間消費電力量Ｓｔが求められた後には、その結果を示すデータが蓄積部２３に記憶された上で目標設定処理に移行する。目標設定処理では、前期分の計測データ、目標運転時間の選択肢に対する居住者の選択結果を示すデータ、及び、単位時間消費電力量を示すデータに基づいて、目標運転時間を設定する。具体的には、消費電力量前期合計値をＳｍとし、消費電力量前期合計値に対する目標削減比率をαとしたとき、下記の式により、目標消費電力量Ｓｉ及び目標運転時間ｔｉが与えられる。
Ｓｉ＝（１−α）×Ｓｍ                                            （２）
ｔｉ＝Ｓｉ／Ｓｔ                                                  （３）
【００６０】
以上までの手順により実行される目標設定処理は、本実施形態の場合、サーバコンピュータ２０の目標設定処理部２２ｂにより実行されるが、これに限定されるものではなく、目標設定処理の一連の手順がユーザ端末１０側で実行されることとしてもよい。すなわち、データ処理実行部２２の機能のうち、目標設定処理を実行する機能がユーザ端末１０側に備わっていることとしてもよい。
＜＜本実施形態に係るエネルギー消費量管理方法について＞＞
以上までに説明してきた本システム１によって実現されるエネルギー消費量管理方法（本実施形態に係るエネルギー消費量管理方法）について、図６乃至図１０を参照しながら説明する。図６は、本実施形態に係るエネルギー消費量管理方法による手順を示す図である。図７は、目標設定処理の流れを示す図である。図８は、データ生成処理の流れを示す図である。図９及び図１０は、前回のデータ配信処理から今回のデータ配信処理までの間の流れを示す。
【００６１】
なお、以下では、上記と同様、住宅２内で使用される電力消費機器をエネルギー消費機器の一例として、当該電力消費機器についての管理情報を所定の表示画面に表示させるエネルギー消費量管理方法について説明する。特に、住宅２内で使用される電力消費機器のうち、エアコンを具体例に挙げて消費電力量の管理方法について説明する。
【００６２】
本実施形態に係るエネルギー消費量管理方法は、図６に示すように、住宅２において計測ユニット１１がエアコンの消費電力量を計測する計測工程（Ｓ００１）から始まり、その後、ユーザ端末１０が計測データをサーバコンピュータ２０に向けて送信する（Ｓ００２）。なお、本実施形態では、エアコンの起動に伴って計測工程が開始され、エアコンが運転している間は定期的（本実施形態では１分毎）に計測工程が実施される。
【００６３】
一方、サーバコンピュータ２０側では、データ処理実行部２２によるデータ処理実行工程が実施される。具体的に説明すると、先ず、インターネット４を通じて計測データをユーザ端末２０側から取得するデータ取得処理が実行され（Ｓ００３）、計測データが逐次データベースとして蓄積されていく（Ｓ００４）。以降、単位時間エネルギー消費量算出処理（Ｓ００５）、目標設定処理（Ｓ００６）、実績運転時間算出処理（Ｓ００７）が行われ、これらの処理の結果を反映して情報データを生成するデータ生成処理が実行される（Ｓ００８）。
【００６４】
最終的に、データ生成処理にて生成された情報データをユーザ端末１０に向けて配信するデータ配信処理が実行される（Ｓ００９）。その後、ユーザ端末１０が情報データを受信した上で、ユーザ端末１０の情報表示部１０ａが当該情報データに基づいて操作パッド１２の表示画面１２ａに管理情報を表示する情報表示工程、が実施される（Ｓ０１０）。
そして、上記の一連の工程により、居住者は操作パッド１２の表示画面１２ａにて管理情報を閲覧することが可能になる。
【００６５】
次に、サーバコンピュータ２０側で実施されるデータ処理実行工程のうち、目標設定処理Ｓ００６とデータ生成処理Ｓ００８について図７及び図８を参照しながら詳述する。
＜目標設定処理Ｓ００６＞
目標設定処理Ｓ００６に先立って、単位時間消費電力量を示すデータが取得されている。つまり、本実施形態では、目標設定処理Ｓ００６の事前に、単位時間エネルギー消費量算出処理Ｓ００５が実行される（図６参照）。ただし、これに限定されず、例えば、目標設定処理Ｓ００６の中で単位時間消費電力量が算出されることとしてもよい。
【００６６】
一方、単位時間消費電力量を示すデータを取得済みの状態において、目標設定処理部２２ｂが目標設定処理Ｓ００６の実行を開始する。目標設定処理Ｓ００６は、前期分の計測データに基づいて消費電力量前期合計値を求めるところから始まる（Ｓ０１１）。次に、目標設定処理部２２ｂは、目標運転時間に関して居住者の選択結果を既に受付けているか否かを判断する。かかる判断は、居住者の選択結果を示すデータを過去に取得して蓄積部２３に記憶されているか否かによって行われる。なお、本実施形態において、目標運転時間の選択肢に対する居住者の選択結果を示すデータは、居住者が操作パッド１２の表示画面１２ａに表示されるゲージＧにてカーソルＧｃの位置を移動させる操作を行うことにより生成され、データ取得処理Ｓ００３の実行時に計測データと併せて取得されるものである。
【００６７】
そして、選択肢情報が選択済みである場合（すなわち、居住者の選択結果を示すデータが取得済みである場合）（Ｓ０１２でＹｅｓ）、当該選択結果に応じた値を目標削減比率に設定して、上述の式（２）により目標消費電力量を求める（Ｓ０１３、Ｓ０１５）。一方、選択肢情報が未選択の場合（すなわち、居住者の選択結果を示すデータが取得していない場合）（Ｓ０１２でＮｏ）、目標削減比率の初期値として設定されている値を用いて目標消費電力量を求める（Ｓ０１４、Ｓ０１５）。その後、目標消費電力量を単位消費電力量にて除することにより、目標運転時間が設定される（Ｓ０１６）。その後、当該設定値を示すデータが蓄積部２３に記憶された時点で、目標設定処理Ｓ００６が完了する。
【００６８】
＜データ生成処理Ｓ００８＞
データ生成処理Ｓ００８では、それ以前の処理で算出した値等を示すデータを用いて、住宅２で操作パッド１２の表示画面１２ａに管理情報を表示させるための情報データを生成する。データ生成処理Ｓ００８では、先ず、目標設定処理Ｓ００６で設定した目標運転時間を示すデータ、及び、実績運転時間算出処理Ｓ００７で算出した実績運転時間を示すデータに基づいて、目標運転時間と実績運転時間との差を求め、当該差を示すデータを情報データとして組み込む（Ｓ０２１）。
【００６９】
次に、単位時間エネルギー消費量算出処理Ｓ００５で求めた単位時間消費電力量を示すデータを情報データとして組み込む（Ｓ０２２）。さらに、本実施形態では、前期分及び今期分の計測データに基づいて、過去数日分の使用履歴等を示すデータについても情報データとして組み込む（Ｓ０２３）。そして、操作パッド１２の表示画面１２ａに表示させる情報を示すデータが全て組み込まれた段階で、情報データが完成する（Ｓ０２４）。
【００７０】
ところで、情報データの生成及び配信は、エアコン運転中に定期的（本実施形態では３０分毎）に行われる。具体的に説明すると、エアコン運転中は計測ユニット１１による消費電力量の計測が行われ、その計測結果を示す計測データが３０分毎にサーバコンピュータ１０に向けて送信される。一方、計測データの送信に伴って、サーバコンピュータ２０側ではデータ取得処理が実行され、データ取得処理を実行する都度、情報データの生成及び配信を実行する。これは、データ取得処理が実行されるほど、エアコンの運転時間が経過することを意味し、エアコンの実績運転時間等が変わると、操作パッド１２の表示画面１２ａに表示させる管理情報の内容も更新させる必要があるからである。
【００７１】
一方、管理情報の内容を変更（更新）させる要因としては、運転時間の経過以外にも考えられる。一つは、目標運転時間を設定するための複数の選択肢情報に対し、居住者がある選択肢情報を選択した後に、他の選択肢情報を選択した場合である。つまり、本実施形態では、複数の選択肢情報の中から一の選択肢情報が選択され、当該選択肢情報に応じた目標運転時間が設定されて当該目標運転時間に応じた管理情報が操作パッド１２の表示画面１２ａに表示された後であっても、選択肢情報の見直し（再選択）が可能である。かかる場合、目標運転時間の再設定のために目標設定処理Ｓ００６が実行される。
【００７２】
また、管理情報の内容を変更（更新）させる他の要因としては、居住者が操作パッド１２を操作してエアコンの運転条件（具体的には、設定温度や風量）を変更させることによりエアコンの運転状況が切り替わる場合である。かかる場合には、単位時間消費電力量が変化するため、単位時間消費電力量の再計算のために単位時間エネルギー消費量算出処理Ｓ００５が実行される。
【００７３】
そして、選択肢情報の見直しや運転条件の変更があった場合には、サーバコンピュータ２０のデータ処理実行部２２が、これらの内容に応じて管理情報を変更（更新）するように対応する。かかる内容を具体的に説明するために、図９及び図１０を参照しながら説明する。
【００７４】
エアコンが運転している間に、データ配信処理（以下、前回のデータ配信処理と呼ぶ）が実行され、所定期間経過後にデータ配信処理（以下、今回のデータ配信処理と呼ぶ）が再度実行される場合を想定する。前回のデータ配信処理と今回のデータ配信処理との間には、データ取得処理Ｓ００３と実績運転時間算出処理Ｓ００７とデータ生成処理Ｓ００８とが実行されるが、データ取得処理Ｓ００３において、選択肢情報に対する居住者の選択結果を示すデータとして以前取得したものと異なるデータを取得した場合（Ｓ０３１でＹｅｓ）、目標運転時間を設定し直すために再度目標設定処理を実行する（Ｓ０３２、Ｓ０３３）。
【００７５】
すなわち、本実施形態では、受付部としての操作パッド１２が、ある選択結果を受付けた後に他の選択結果を受付けた場合、目標設定処理を再度実行する。再度実行される目標設定処理では、他の選択結果とエネルギー消費量前期合計値に基づいて、目標消費電力量を再度計算する（Ｓ０３２）。これは、選択結果の変更により、目標消費電力量を求める際に設定された削減比率が変わるためである。そして、再度実行される目標設定処理において、目標消費電力量が再度求められると、当該目標消費電力量に応じて目標運転時間を設定し直す（Ｓ０３３）。
【００７６】
一方、選択肢情報に対する居住者の選択結果を示すデータに変わりが無い場合には（Ｓ０３１でＮｏ）、目標消費電力量を求める際に設定された削減比率に変わりが無いため、上述した処理の実行は見送られる。かかる構成であれば、居住者の選択結果に変動が無い場合に目標消費電力量を求める手間が省かれ、サーバコンピュータ２０側の負荷を軽減することが可能になる。
【００７７】
また、前回のデータ配信処理と今回のデータ配信処理との間に、居住者が操作パッド１２にてエアコンの運転条件を変更することによりエアコンの運転状況が変化した場合には（Ｓ０４１でＹｅｓ）、データ処理実行部２２が、運転状況の変化後にデータ取得処理を実行した上で単位時間エネルギー消費量算出処理を再度実行する（Ｓ０４２）。これは、運転条件が見直されてエアコンの運転状況が切り替わると、エアコンの単位時間消費電力量がそれに伴って変動するためである。そして、単位時間消費電力量を算出し直した後に、目標設定処理を再度実行して（Ｓ０４３）、算出し直された単位時間消費電力量にて目標消費電力量を除することによって求められる時間を目標運転時間として設定し直す。
【００７８】
一方、エアコンの運転条件の変更がなく、その運転状況に変わりが無い場合には（Ｓ０４２でＮｏ）、上述した処理の実行は見送られる。かかる構成であれば、エアコンの運転条件に変更が無い場合に単位時間消費電力量を算出する手間が省かれ、サーバコンピュータ２０側の負荷を軽減することが可能になる。
なお、エアコンの運転状況については運転条件の変更以外の要因（例えば、装置の老朽化）によっても切り替わる可能性があるため、エアコンの運転条件に変更が無くとも、データ取得処理を実行する都度、単位時間消費電力量を計算することとしてもよい。
【００７９】
以上のように目標設定処理を再度実行して目標運転時間が見直された場合、その後に実行されるデータ生成処理では、管理情報を更新すべく、設定し直された目標運転時間と実績運転時間との差を表示させるための情報データが再度生成されることとなる。
【００８０】
＜＜本実施形態に係るエネルギー消費量管理システムの有効性について＞＞
本実施形態に係るエネルギー消費量管理システム（すなわち、本システム１）は、計測ユニット１１と、エネルギー消費機器の運転制御用の操作パッド１２と、操作パッド１２に形成された表示画面１２ａに情報を表示する情報表示部１０ａと、データ処理実行部２２と、を有する。また、データ処理実行部２２は、今期におけるエネルギー消費機器の目標運転時間を設定するとともに、今期の開始時点から直近の前記データ取得処理の実行時点までのエネルギー消費機器の実績運転時間を求めた上で、目標運転時間と実績運転時間との差を管理情報として表示画面１２ａに表示させるための情報データを生成する。そして、住宅２の居住者がエネルギー消費機器の運転状況の切り替えるために操作パッド１２を操作する際に、情報表示部１０ａが、情報データに基づいて目標運転時間と実績運転時間との差を表示画面１２ａに表示する。
【００８１】
このような構成により、住宅２の居住者は、エネルギー消費量を削減する上で、エネルギー対象機器をどれだけ運転させ続けられるかを把握することができ、エネルギー消費機器の運転を適切に管理することが可能になる。
【００８２】
すなわち、発明が解決しようとする課題の項で説明したように、従来のエネルギー消費量管理システムでは、情報利用者である住宅２の居住者にとって、エネルギー消費量を削減する上で有効な情報が提供されない場合があった。例えば、居住者に提供される管理情報として、エネルギー消費機器のエネルギー消費量についての目標値及び実測値が同一の画面に同時に表示されたとしても、居住者にとっては分かり難く、エネルギー消費機器の運転をどのように管理すればよいのかを把握することが困難となる場合もある。かかる場合には、結果として、エネルギー消費量の削減に向けた行動改善や意識改善に繋がらない可能性があった。
【００８３】
これに対して、本実施形態では、エネルギー消費機器の目標運転時間および実績運転時間の差、すなわち、目標運転時間に対する残りの運転時間（運転可能時間）が管理情報として表示されることになる。かかる情報であれば、居住者にとって分かり易く、エネルギー消費量の削減を図る上で、エネルギー消費機器をあとどれだけ運転させ続けられるかを把握することができる。この結果、当該情報を利用すれば、時間をもって、エネルギー消費機器の運転を適切に管理することが可能になる。
【００８４】
さらに、エネルギー消費機器の運転状況を切り替えるための情報、及び、運転可能時間を示す情報とが同じ表示画面１２ａに表示されるため、居住者は、管理情報を閲覧しながら適切に運転状況を切り替えることが可能になる。すなわち、運転可能時間を表示画面１２ａに表示することによる効果は、エネルギー消費機器の運転状況を切り替えるための情報と併せて表示させることによって、より有意義なものとなる。
【００８５】
また、本実施形態では、目標運転時間を設定するにあたり、前期分におけるエネルギー消費機器のエネルギー消費量を合計してエネルギー消費量前期合計値を求め、該エネルギー消費量前期合計値に応じて目標運転時間を設定することとした。このように前期分におけるエネルギー消費量の合計値（エネルギー消費量前期合計値）を基準にして目標運転時間が設定されることにより、エネルギー消費量の削減に向けた目標設定がより容易になる。つまり、「前期分のエネルギー消費量の合計値に対して今期はどれぐらい削減したいのか」という居住者の意思を反映して目標設定することが可能になる。
【００８６】
また、本実施形態では、目標運転時間を設定するための選択肢情報を複数表示し、当該複数の選択肢情報に対する居住者の選択結果を受付けて、受付けた選択結果とエネルギー消費量前期合計値に基づいて、今期におけるエネルギー消費機器の目標エネルギー消費量を求め、当該目標エネルギー消費量に応じて目標運転時間を設定することとした。このような構成により、居住者の意思を反映させて目標設定することが更に容易になる。
なお、本実施形態では選択肢形式を採用していることにより、居住者は、目標設定のための入力操作をより簡易に行えるようになる。ただし、これに限定されるものではなく、入力操作の形式が数値入力形式であってもよい。
【００８７】
また、本実施形態では、エネルギー消費機器を単位時間運転した際の単位時間エネルギー消費量を算出する処理（単位時間エネルギー消費量算出処理）を更に実行し、目標運転時間と実績運転時間との差、及び、単位時間エネルギー消費量を管理情報として表示させるための情報データを生成することとした。エネルギー消費機器の単位時間エネルギー消費量が併せて表示することにより、居住者に提供される情報が充実し、これらの情報を有効に利用することにより、エネルギー消費機器の運転をより適切に管理することが可能になる。
【００８８】
また、本実施形態では、目標設定処理において、目標エネルギー消費量を単位時間エネルギー消費量にて除することによって求めた時間を目標運転時間として設定することとした。このようにすれば、目標運転時間を的確かつ容易に設定することが可能になる。ただし、これに限定されるものではなく、例えば、目標エネルギー消費量を単位時間エネルギー消費量にて除することによって求めた時間に、幾分の余裕を加味した時間を目標運転時間として設定することとしてもよい。
【００８９】
また、本実施形態では、目標運転時間を設定するための複数の選択肢情報に対して、ある選択結果を受付けた後に他の選択結果を受付けた場合、目標設定処理を再度実行して、他の選択結果とエネルギー消費量前期合計値に基づいて目標エネルギー消費量を再度求めてから、該目標エネルギー消費量に応じて前記目標運転時間を設定し直すこととした。その上で、データ生成処理を再度実行して、設定し直された目標運転時間と実績運転時間との差を表示させるための情報データを再度生成することとした。
かかる構成により、例えば、エネルギー消費機器の運転途中でユーザの意向が変化した際に、目標を改訂することが可能となる。この結果、ユーザの意向の変化に対して柔軟に対応することが可能となり、妥当な目標がどれぐらいになるのかを把握してから当該目標を見直すことも可能となる。
【００９０】
また、本実施形態では、居住者が操作パッド１２にてエネルギー消費機器の運転条件を変更することにより当該エネルギー消費機器の運転状況が切り替わった場合、運転状況の切り替え後にデータ取得処理を実行した上で単位時間エネルギー消費量算出処理を再度実行することとした。そして、単位時間エネルギー消費量を算出し直した後に目標設定処理を再度実行して、算出し直された単位時間エネルギー消費量にて目標エネルギー消費量を除することによって求められる時間を目標運転時間として設定し直し、データ生成処理では、設定し直された目標運転時間と実績運転時間との差を表示させるための情報データを生成することとした。
エネルギー消費機器の運転状況が切り替わると、それに伴って単位時間エネルギー消費量が変動し、目標運転時間を設定し直す必要がある。これに対して、本実施形態では、上記の如く目標運転時間を設定し直すことが可能であり、エネルギー消費機器の運転状況の変化に対して柔軟に対応することが可能となる。
【００９１】
また、本実施形態では、計測ユニット１１と、操作パッド１２と、情報表示部１０ａを備えたユーザ端末１０とが住宅２内に設けられていることとした。一方、ユーザ端末１０と通信可能で、データ処理実行部２２と、計測データを蓄積しておく蓄積部２３とを有するサーバコンピュータ２０が住宅２の外部に設置されていることとした。しかし、これに限定されるものではなく、データ処理実行部２２及び蓄積部２３の各々の機能がユーザ端末１０側に備わっていることとしてもよい。ただし、サーバコンピュータ２０側（住宅２の外部）でデータ保存やデータ処理等が一元的に行われるようになる結果、ユーザ端末１０側（住宅２内）でデータを保存しておく必要がなく、データ処理の負荷も軽減される点では本実施形態の方が好適である。
【００９２】
＜＜その他の実施形態＞＞
上記の実施形態には、主として本発明のエネルギー消費量管理システム及びエネルギー消費量管理方法について説明した。しかし、上記の実施形態は、本発明の理解を容易にするためのものであり、本発明を限定するものではない。本発明は、その趣旨を逸脱することなく、変更、改良され得ると共に、本発明にはその等価物が含まれることはもちろんである。特に、管理情報を表示させる表示画面１２ａのデザイン（各情報の配置レイアウト）について、上記の実施形態にて説明したものは、あくまで一例に過ぎず、本発明を限定するものではない。
【００９３】
また、上記の実施形態では、エネルギー消費機器の運転状況を切り替えるための情報と管理情報とが操作パッド１２の表示画面１２ａに表示されることとした。これにより、居住者（ユーザ）は、管理情報を見ながら運転状況を切り替えるための操作を行うことが可能になる。
ただし、居住者が管理情報を見ながら運転状況を切り替えられるものであればよく、エネルギー消費機器の運転状況を切り替えるための部位と、管理情報を表示させる部位とが同一でなくてもよい。例えば、管理情報が表示画面に表示される一方で、運転状況を切り替えるための操作を受付ける操作受付部が表示画面に隣接する形で設けられていることとしてもよい。
【００９４】
また、上記の実施形態では、管理情報を表示させる表示画面１２ａが形成された操作盤が、エネルギー消費機器と分離した操作パッド１２であることとした。ただし、これに限定されるものではなく、管理情報を表示させる表示画面が形成された操作盤が、エネルギー消費機器と一体化されていることとしてもよい。
【符号の説明】
【００９５】
１  本システム、  ２  住宅、  ３  管理会社、  ４  インターネット、
１０  ユーザ端末、１０ａ  情報表示部、１０ｂ  通信部、１０ｃ  記憶部、
１０ｄ  機器コントローラ、１０ｅ  制御部、１１  計測ユニット、１１ａ  電力センサ、
１１ｂ  電力計測タップ、１１ｃ  データロガー、１２  操作パッド、１２ａ  表示画面、
１３  ルータ、２０  サーバコンピュータ、２１  通信部、２２  データ処理実行部、
２２ａ  データ取得処理部、２２ｂ  目標設定処理部、２２ｃ  実績運転時間算出処理部、
２２ｄ  単位時間エネルギー消費量算出処理部、２２ｅ  データ生成処理部、
２２ｆ  データ配信処理部、２３  蓄積部、２４  制御部、３０  分電盤、
３１  主幹回路、３２  分岐回路、
Ｂ１，Ｂ２，Ｂ３  操作ボタン、Ｇ  ゲージ、Ｇｃ  カーソル
【図１】
0005726497.tif 000002
【図２】
0005726497.tif 000003
【図３】
0005726497.tif 000004
【図４】
0005726497.tif 000005
【図５】
0005726497.tif 000006
【図６】
0005726497.tif 000007
【図７】
0005726497.tif 000008
【図８】
0005726497.tif 000009
【図９】
0005726497.tif 000010
【図１０】
0005726497.tif 000011